(57)【特許請求の範囲】
【請求項１】
交互に対向して配置された爪形磁極を備えた鉄心と、
該鉄心に巻装された界磁巻線と、
前記爪形磁極間に配置された永久磁石と、
該永久磁石を前記爪形磁極間に個々に保持する保持器とを備え、
前記爪形磁極の前記永久磁石が配置された側面の外周側には突部が設けられており、
前記保持器は、
前記永久磁石を包持し、
半径方向に作用する弾性力によって前記突部に押し付けられることにより、前記爪形磁極間に前記永久磁石を保持する
ことを特徴とする車両用交流発電機の回転子。
【請求項２】
請求項１に記載の車両用交流発電機の回転子において、
前記保持器と前記界磁巻線との間には弾性体が配置されており、
前記保持器は、前記弾性体により前記突部に押し付けられながら前記爪形磁極間に押圧保持されている
ことを特徴とする車両用交流発電機の回転子。
【請求項３】
請求項２に記載の車両用交流発電機の回転子において、
前記弾性体は前記保持器に一体に形成されている
ことを特徴とする車両用交流発電機の回転子。
【請求項４】
請求項３に記載の車両用交流発電機の回転子において、
前記保持器は金属鋼板から形成されており、
前記弾性体は絶縁部材を介して前記界磁巻線と対接している
ことを特徴とする車両用交流発電機の回転子。
【請求項５】
請求項２に記載の車両用交流発電機の回転子において、
前記保持器は、
前記永久磁石を長手方向に包囲するものであって、
前記界磁巻線との対向側に前記弾性体となる舌片が形成されている
ことを特徴とする車両用交流発電機の回転子。
【請求項６】
請求項５に記載の車両用交流発電機の回転子において、
前記舌片は、
前記保持器の前記界磁巻線との対向側を切り抜くことによって形成され、
その円弧面側が前記界磁巻線と対向している
ことを特徴とする車両用交流発電機の回転子。
【請求項７】
請求項３に記載の車両用交流発電機の回転子において、
前記界磁巻線はボビンに巻かれており、
前記保持器は、
前記永久磁石を長手方向に包囲するものであって、
前記永久磁石の幅よりも延長した凸部を備えた巻き始め端と、
前記巻き始め端の端面に係合される巻き終わり端とを備えており、
前記凸部は前記ボビンの一端に係止されている
ことを特徴とする車両用交流発電機の回転子。
【請求項８】
請求項５に記載の車両用交流発電機の回転子において、
前記界磁巻線上には絶縁部材が巻装されており、
前記弾性体は、前記絶縁部材を介して前記界磁巻線に対接している
ことを特徴とする車両用交流発電機の回転子。
【請求項９】
請求項８に記載の車両用交流発電機の回転子において、
前記絶縁部材は繊維状のものである
ことを特徴とする車両用交流発電機の回転子。
【請求項１０】
固定子と、
該固定子に空隙を介して回転可能に対向配置された回転子とを有し、
前記回転子は、
交互に対向して配置された爪形磁極を備えた鉄心と、
該鉄心に巻装された界磁巻線と、
前記爪形磁極間に配置された永久磁石と、
該永久磁石を前記爪形磁極間に個々に保持する保持器とを備えており、
前記爪形磁極の前記永久磁石が配置された側面の外周側には突部が設けられており、
前記保持器は、
前記永久磁石を包持し、
半径方向に作用する弾性力によって前記突部に押し付けられることにより、前記爪形磁極間に前記永久磁石を保持する
ことを特徴とする車両用交流発電機。
【請求項１１】
請求項１０に記載の車両用交流発電機において、
前記保持器と前記界磁巻線との間には弾性体が配置されており、
前記保持器は、前記弾性体により前記突部に押し付けられながら前記爪形磁極間に押圧保持されている
ことを特徴とする車両用交流発電機。
【請求項１２】
請求項１１に記載の車両用交流発電機において、
前記弾性体は前記保持器に一体に形成されている
ことを特徴とする車両用交流発電機。
【請求項１３】
請求項１２に記載の車両用交流発電機において、
前記保持器は金属鋼板から形成されており、
前記弾性体は絶縁部材を介して前記界磁巻線と対接している
ことを特徴とする車両用交流発電機。
【請求項１４】
請求項１１に記載の車両用交流発電機において、
前記保持器は、
前記永久磁石を長手方向に包囲するものであって、
前記界磁巻線との対向側に前記弾性体となる舌片が形成されている
ことを特徴とする車両用交流発電機。
【請求項１５】
請求項１４に記載の車両用交流発電機において、
前記舌片は、
前記保持器の前記界磁巻線との対向側を切り抜くことによって形成され、
その円弧面側が前記界磁巻線と対向している
ことを特徴とする車両用交流発電機。
【請求項１６】
請求項１２に記載の車両用交流発電機において、
前記界磁巻線はボビンに巻かれており、
前記保持器は、
前記永久磁石を長手方向に包囲するものであって、
前記永久磁石の幅よりも延長した凸部を備えた巻き始め端と、
前記巻き始め端の端面に係合される巻き終わり端とを備えており、
前記凸部は前記ボビンの一端に係止されている
ことを特徴とする車両用交流発電機。
【請求項１７】
請求項１４に記載の車両用交流発電機において、
前記界磁巻線上には絶縁部材が巻装されており、
前記弾性体は、前記絶縁部材を介して前記界磁巻線に対接している
ことを特徴とする車両用交流発電機。
【請求項１８】
請求項１７に記載の車両用交流発電機において、
前記絶縁部材は繊維状のものである
ことを特徴とする車両用交流発電機。
【発明の詳細な説明】
【０００１】
【発明の属する技術分野】
本発明は車両用交流発電機の回転子に係り、特に爪形磁極を持つランデル形回転子の磁極間に配置される永久磁石の保持固定に関する。
【０００２】
【従来の技術】
ランデル形爪状磁極を持つ回転子で、対向する爪状磁極間に個別に永久磁石を配置し、発電機の励磁力を上げることは広く一般に知られている。その代表例としては、例えば特許文献１，特許文献２が挙げられる。このうち、前者のものには、永久磁石をつば状突部の内径側に設けた永久磁石係合部と爪状磁極側面部とに接着剤により係合固着することが記載されている。また、後者のものには、回転子が高速回転するため、非磁性体のステンレス鋼からなる保護カバーを永久磁石の外周に配置することが記載されている。
【０００３】
【特許文献１】
特開平７−２９８５８５号公報
【特許文献２】
特開平１１−９８７８７号公報
【０００４】
【発明が解決しようとする課題】
従来技術における永久磁石の固定はいずれも、爪間に配置される磁石を何らかの形で位置決めした後に固定しなければならない。ところが、着磁された磁石は扱い難く、組み付け作業性或いは装着時の破損を考慮して装着後着磁するのが一般的である。特に着磁された磁石を組み付ける場合、磁石組み付け後に回転子の外径寸法の調整や回転アンバランスの調整などで機械加工を施す場合、磁石に付着する加工によって発生し、磁石に付着した切りくずを除去する必要があり、作業性が著しく低下する。
【０００５】
一方、着磁前の磁石を固定する方法では、磁極との間に吸着関係がないため、界磁巻線との間に一定空間を確保して位置決めするのに、特別の治具等が必要となり生産性を妨げる。また、磁石そのものは接着剤だけで固定するものであったため、爪磁極との接合面に隙間が出来やすく、結果的には漏洩磁束が増えて出力の低下の一因となってしまう。
【０００６】
さらに、前述の従来技術の他に示されていない問題点として、爪形磁極間に永久磁石を配置した場合、界磁巻線を固定及び絶縁するための接着剤が、特に永久磁石の軸方向中心部付近に塗布し難いという問題点がある。
【０００７】
【課題を解決するための手段】
本発明は、爪形磁極間に配置される永久磁石を、生産性を高めて確実に固定することができる車両用交流発電機及びその回転子を提供する。また、本発明は、爪形磁極間に永久磁石を配置した回転子で、界磁巻線を絶縁するための接着剤を永久磁石の軸方向中心部付近に確実に塗布することができる車両用交流発電機及びその回転子を提供する。
【０００８】
ここに、本発明は、永久磁石を包持して爪形磁極間に個々に保持する保持器を、爪形磁極の側面の外周側に設けられた突部に半径方向に作用する弾性力によって押し付けることにより、永久磁石を爪形磁極間に保持することを特徴とする。
【０００９】
上記保持器は、上記保持器と上記界磁巻線との間に配置された弾性体により、上記爪形磁極の側面の外周側に設けられた上記突部に押し付けられながら上記爪形磁極間に押圧保持されている。
【００１０】
上記保持器は金属鋼板からなり、上記弾性体が一体に形成されたものである。上記弾性体は絶縁部材を介して上記界磁巻線と対接している。また、上記保持器は上記永久磁石を長手方向に包囲するものであって、上記界磁巻線との対向側に上記弾性体となる舌片が形成されたものである。上記舌片は、上記保持器の上記界磁巻線との対向側を切り抜くことによって形成されたものであり、その円弧面側が上記界磁巻線と対向している。上記絶縁部材は接着剤の滴下に好適な繊維状のものである。さらに、上記保持器は、上記永久磁石の幅よりも延長した凸部を備えた巻き始め端と、上記巻き始め端の端面に係合される巻き終わり端とを備えている。上記凸部は、上記界磁巻線が巻かれたボビンの一端に係止されている。
【００１１】
【発明の実施の形態】
図１に、本発明の実施例の一例を断面図として示す。プーリ１はベルト（図示せず）により車両側の駆動力を受ける。これにより、ベアリング３，４で保持された回転子２全体は固定子５の内部で回転する。ここで、回転子２は、複数の爪部により形成された一対の爪形磁極６，７の爪間に保持器８と共に永久磁石９を配置している。さらに、回転子２は、ブラシ１０，１１からスリップリング１２，１３に給電を受け、回転子２の内部にある界磁巻線１４を励磁する。
【００１２】
車両用交流発電機では、冷却媒体供給口１５から内燃機関の冷却媒体を受け取り、車両用交流発電機が発電時する際の構成部品の自己発熱を、前述冷却媒体を当該発電機内部に形成された冷却媒体循環通路１６及び冷却媒体排出口１７などに適切に循環させることにより固定子５，整流器１８などを冷却している。冷却後、冷却媒体は、冷却媒体排出口１７から内燃機関側に戻し、内燃機関に付属しているラジエターで冷却し、再循環している。ここで、１９は発電電圧を調整する電圧調整器である。２０は、整流器１８に接続され（図示せず）整流後の出力電流を車両側に供給するために、車両側配線と当該車両用交流発電機とを電気的に接続する端子である。
【００１３】
図２には回転子２のみを示す。ここで図２の上側半分は回転子の組み立てが終わり、保持器内に納められた永久磁石を爪形磁極内に挿入する前の状態を示したもので、下側半分は前述保持器と永久磁石が回転子の所定の場所に挿入，固定する途中の状態を示したものである。界磁巻線１４は爪形磁極６，７と絶縁するためのボビン２１に巻線されており、電線の最外径部には絶縁体２２が配置されている。この絶縁体２２は、保持器８が所定の位置に組み付けられた場合に界磁巻線１４の対向面に設けられ、弾性部となる舌片２３が直接、界磁巻線１４に用いられる電線に触れることを防止するために設けられたものである。ただし、保持器８が絶縁物で構成され、保持器を爪状磁極内に回転子の回転軸方向から挿入する場合に界磁巻線１４を構成する電線の絶縁皮膜を傷つけ、絶縁不良を起こさないような材料、例えばプラスティックやゴムなどで構成されていれば、不要となる場合もある。逆に絶縁体２２の存在は、例えば保持器８がバネ鋼やステンレスのような金属材料で出来ている場合は必須である。
【００１４】
ここで、保持器８と永久磁石９とを図２の上側半分に示すような状態から矢印の方向に動かすことで爪形磁極６，７の間に挿入する場合、保持器８に設けられた弾性部となる舌片２３が、爪形磁極６や界磁巻線１４の最外径に設けられた絶縁体２２との間で変形，バネ作用を持つ事で、爪形磁極の爪部側面に設けられた保持器８と永久磁石９とを、回転子２全体が回転した場合に生じる遠心力で爪形磁極間から径方向に飛び出すことを防止する凸部２４の内周側に密着させることが可能になり、永久磁石９の径方向の位置を安定させる事が可能になる。
【００１５】
図３には回転子２に保持器８と永久磁石９が所定の位置に保持された状態を示す。また、図４には図３のＡ−Ａ部を断面とした図を示す。図３，図４に示されるように、保持器８が所定の位置に組み付けられた場合に界磁巻線１４の対向面に設けられ、弾性部となる舌片２３が変形する事で、保持器８は、回転子２全体が回転した場合に保持器８と永久磁石９が遠心力により所定の位置以上に外周に飛び出さないように爪形磁極の脇に設けられた凸部２４の内周面２５に密着する事が可能である。
【００１６】
ここで、絶縁体２２は、永久磁石９を保持する為の保持器８の弾性部となる舌片２３と、界磁巻線１４の絶縁を保つという機能のみを考えた場合、単なる絶縁体であればその目的を満足するが、界磁巻線１４を構成する電線同士，界磁巻線１４とボビン２１との間、およびボビン２１と爪形磁極６，７との間の接着及び絶縁を考えた場合、接着剤を前述各々の部品の間に浸透させる必要がある。
【００１７】
特に液体状の接着剤を回転子２の製造工程においてその外周部から滴下により塗布しようとすると、爪形磁極間における保持器８と永久磁石９との存在により、特に界磁巻線１４の軸方向中心部に接着剤が塗布できないという問題点がある。
【００１８】
そこで、図５に示すように、絶縁体２２を例えば綿で出来たテープのように液体状の接着剤が浸透するような材料で構成し、界磁巻線１４の径方向最外周に巻きつけておけば、製造工程において当該回転子の外周部から塗布した接着剤は、絶縁体２２の軸方向端部に付着した接着剤が軸方向にも浸透し、最終的に回転子の軸方向中心部まで浸透、更には界磁巻線１４の層間にも浸透する事になり、信頼性が高く、かつ爪状磁極間に永久磁石を持たない回転子と同じ工程で製造する事が可能になる。
【００１９】
更に、図６，図７に示すように、保持器８の軸方向端面に凸部２６を設けることにより、保持器８に組み合わされた永久磁石９を当該回転子２の爪形磁極６，７の間に挿入する場合に、凸部２６をボビン２１の軸方向端部の壁状部２７に接触させることにより、永久磁石９の回転子２における軸方向の位置を設定する事が可能になり、回転子の軸方向の磁気中心位置の決定や、ボビン２１に設けられた界磁巻線の端末線を固定するための凸部２８に巻きつけられた界磁巻線端部２９と、導電体で構成された場合の保持器８との絶縁を保つための空間を、確実に保つ事が可能になる。
【００２０】
図８は永久磁石が保持器に組み付けられた場合の一例を示す。保持器８は永久磁石９を長手方向に包囲することで、当該保持器８に組み付けられた永久磁石９がランデル形鉄心の爪形磁極間の所定位置に配置された場合に、磁極６，７と永久磁石９が密着する事を可能としている。また、保持器８は非磁性体で出来ているので対向するランデル形磁極間で磁束が漏洩する事はない。
【００２１】
図９は保持器単体の実施例を示す。保持器８は所定の位置に配置された場合に、界磁巻線１４の対向面にあたる部分に弾性体となる舌片２３を有し、長手方向の一端部と反対側のもう一端が係合する事で永久磁石９を保持器８内に保持している。また、保持器８の長手方向一端には凸部２６が設けられており、ボビンの一端に係止する事が出来る構造となっている。
【００２２】
上記実施例は、永久磁石９の保持器８を個々に分割する事で、界磁巻線１４，回転軸、そして爪形磁極を組み立てた後で、軸方向より永久磁石９とその保持器８を挿入する事とする。また、永久磁石９の径方向の位置については、爪形磁極６，７の永久磁石９が接触する面の外周部にひさし状の凸部２４を設けることにより、回転子が回転し、遠心力が保持器８と永久磁石９に加わった場合においても、所定の位置以上、径方向外周には飛び出さず、固定子と接触しない構造とする。さらに当該保持器８の界磁巻線１４外周面側にバネ作用を持たせる構造とすることで、保持器８内の永久磁石９を出来る限り爪形磁極６，７の外径方向に押し出し、保持器８と爪形磁極６，７のひさし状の凸部２４内面を接触させることにより、固定子に接触しない範囲で出来る限り永久磁石９を径方向外周に押し出すことが可能となる。
【００２３】
以上により、本来、永久磁石９を爪形磁極６，７間に配置する目的である、爪形磁極６，７間の磁束の漏洩を最大限に防止する事が可能となり、かつ個々の永久磁石９は径方向の位置が安定するので、大量に当該回転子を生産した場合でも、性能の安定した回転機を生産する事が可能になる。また、永久磁石９の軸方向の位置については、保持器８の軸方向端部に凸部２６を設け、爪形磁極６，７間に永久磁石９と保持器８とを挿入する際に、界磁巻線１４を巻線する際に爪形磁極６，７や鉄心とを絶縁するボビンなどに接触させることで、軸方向の位置を固定する。
【００２４】
更に、界磁巻線１４の外周部には絶縁体２２を配置する事で、前述保持器が金属で構成された場合でも、界磁巻線と保持器が電気的に短絡する事を防止する事が出来る。特に前述絶縁体２２を、界磁巻線１４を絶縁及び固定するための接着剤が浸透しやすい材料で構成する事により、爪形磁極６，７間に永久磁石９があるために界磁巻線１４の軸方向中心部に接着剤が塗布できないという生産上の問題点を回避する事が可能となる。
【００２５】
【発明の効果】
以上本発明によれば、爪形磁極間に配置される永久磁石を生産性を高めて確実に固定することができる車両用交流発電機及びその回転子を提供することができる。また、本発明によれば、爪形磁極間に永久磁石を配置した回転子で、界磁巻線を絶縁するための接着剤を永久磁石の軸方向中心部付近に確実に塗布することができる車両用交流発電機及びその回転子を提供することができる。
【図面の簡単な説明】
【図１】本発明の実施例の一例である、発電機の一例を示す。
【図２】本発明の回転子の実施例の一例を示す。
【図３】本発明の回転子の実施例の一例を示す。
【図４】図３中のＡ−Ａ部の断面図を示す。
【図５】図２に示す回転子に液状の接着剤を滴下する場合の説明図である。
【図６】本発明の実施例として回転子を径方向から見た場合を示す。
【図７】本発明の実施例の一例として回転子の一部を拡大した図を示す。
【図８】本発明の実施例の一例として保持器８に永久磁石９が組み込まれた図を示す。ここで二重斜線部は永久磁石を示す。
【図９】本発明の実施例の一例として保持器８単独の形状を示す。
【符号の説明】
１…プーリ、２…回転子、３，４…ベアリング、５…固定子、６，７…爪形磁極、８…永久磁石の保持器、９…永久磁石、１０，１１…ブラシ、１２，１３…スリップリング、１４…界磁巻線、１５…冷却媒体供給口、１６…冷却媒体循環通路、１７…冷却媒体排出口、１８…整流器、１９…電圧調整器、２０…出力端子、２１…ボビン、２２…絶縁体、２３…保持器８に設けられた弾性部となる舌片、２４…爪形磁極の爪部側面に設けられた凸部、２５…爪形磁極の爪部側面に設けられた凸部内周面、２６…保持器軸方向端面に設けられた凸部、２７…ボビン２１の軸方向端部の壁状部、２８…ボビンに設けられた界磁巻線の端末線を固定するための凸部、２９…界磁巻線端部。
【図１】
0003743431.tif 000002
【図２】
0003743431.tif 000003
【図３】
0003743431.tif 000004
【図４】
0003743431.tif 000005
【図５】
0003743431.tif 000006
【図６】
0003743431.tif 000007
【図７】
0003743431.tif 000008
【図８】
0003743431.tif 000009
【図９】
0003743431.tif 000010